(57)【特許請求の範囲】
【請求項１】
剥離紙に連続して等しい間隔で貼り付けられた粘着ラベルに日付や文字記号等を印字手段（３）で印字し、前記個々の粘着ラベルを個々の鶏卵、果実または容器等に貼り付けるラベル印字貼付装置であって、印字手段（３）は印字送り手段（１）で送られるラベルに同期して文字記号等を印字し、印字済のラベルを所定枚数以上ストックする弛緩部（５）を有し、弛緩部（５）にストックされている印字済ラベルをラベル要求信号に対応して１枚づつ剥離紙から剥離する貼り付け送り手段（２）を有し、貼り付け送り手段（２）が所定枚数のラベルを送り出す毎に前記弛緩部（５）の消費した所定枚数の印字済ラベルを補給すべく印字送り手段（１）と印字手段（３）を制御してラベルに連続印字する制御手段（４）を備えており、前記弛緩部（５）において印字送り手段（１）から送り出されてくる剥離紙の走行軸芯を横方向に変更するテープ規制ガイド（１２）を設けたことを特徴とする鶏卵等のラベル印字貼り付け装置。
【請求項２】
請求項１にあって、印字手段（３）に供給されるラベル付き剥離紙が第１の走行間隔で複数列供給されており、かつ印字済ラベルを貼り付け送り出しする際の前記複数の剥離紙は第２の走行間隔を有し、前記制御手段（４）は、それぞれの列の貼り付け送り出し回数を独立して計数し、対応するラベル列に対して消費した所定枚数のラベルの連続印字を行うように制御することを特徴とする鶏卵等のラベル印字貼り付け装置。
【発明の詳細な説明】
【０００１】
【産業上の利用分野】
本発明は鶏卵、果実等の物品に品質表示、日付品質表示等の印字ラベルを印字しながら貼り付けるラベル印字貼り付け装置に関するものである。
【０００２】
【従来の技術】
鶏卵の産卵日表示にあってはいわゆるパック詰めされた鶏卵のそれぞれに日付印字した粘着ラベルが貼り付けられている。それらは鶏卵をパック詰めしたのち長手方向にコンベア上を搬送させ印字貼付装置では貼り付け送り出しに同期してラベルへの印字を行っているものであった。
【０００３】
【発明が解決しようとする課題】
本発明は印字手段を高速化することなく、貼り付け部の高速化を図るものである。
【０００４】
本発明は２列で搬送される鶏卵等一定の幅をもって設置されている複数列のラベル貼り付け手段に対して前記貼り付け手段相互間の間隔と異なった間隔で印字手段を設けることが可能なラベル印字貼り付け装置を提供することを目的としている。
【０００５】
【課題を解決するための手段】
上記目的を達成するために、本発明の装置においては、ラベルに印字するための印字送り手段とラベルを鶏卵等の物品に貼り付けるための貼り付け送り手段を別個に設け前記２つの走行手段の間にある印字済ラベルの付いた剥離紙を弛緩状態、即ち、たるました状態に保持したものである。
【０００６】
また鶏卵等の物品に貼り付けたラベルの枚数をカウントし前記２つの走行手段の間に存在する印字済ラベルの枚数が常に一定数以上存在する様に、印字手段と印字の為のラベル走行手段（印字送り手段）を制御する制御装置を設けたものである。
【０００７】
また剥離紙の幅で並列走行する複数列のラベルに印字した後、被貼り付け物品の搬送列幅に前記印字済剥離紙の走行中心を変更するための規制部材を前記２つの走行手段の間に設けると効果的である。
【０００８】
そして、印字手段はドットプリンターやインクジェットプリンターの印字ヘッド部を用いるのが良く、被印字体であるラベルの印字送り手段に同期して動作させると良い、前記印字送り手段の駆動源はパルスモーターやサーボモーターを用いるのが良い。
【０００９】
また、貼り付け送り手段の駆動源は被貼り付け物品の到来に応じて頻繁な間欠動作と急発進、急停止を行うためパルスモーターやサーボモーターを使用すると良い結果が得られる。
【００１０】
【作用】
上記の様に構成されたラベル印字貼り付け装置は初期状態において弛緩部分
（５）に定められた枚数の印字済ラベルを蓄えたのち使用を開始するようになる。
【００１１】
上記装置においては、被貼り付け物品の到来に対応して貼り付け送り手段が動作し印字済のラベルを１枚づつ送り出し被貼り付け物品に貼付を行う。この貼付送り手段の駆動は間欠動作を行うものである。
【００１２】
制御装置に用意された貼付枚数の計数装置が一定の枚数のラベルの送り出しをカウントすると制御装置はラベルテープ上流に設置されている印字送り手段と印字手段を働かせ所定枚数のラベルに連続印字を行い前記弛緩部分（５）に存在するラベルを補充し常に一定以上のラベル枚数をストックするようになる。
【００１３】
ここで印字送り出し装置の動作は複数枚のラベルを連続印字するように制御されており、貼付送り出しの駆動は被貼付物品１個あたり１回の送り出し動作をする毎に停止するよう制御されている。このことにより印字送り出しの走行速度を張り付け送り出しの走行速度に比して遅い速度で走行させることが実現する。
【００１４】
印字手段を連続動作させ一定枚数のラベルに文字や記号等を印字するように制御することによって印字手段の限界速度に制限されずに、より高速で印字済ラベルを送る出すものである。また貼り付け送り出し動作の動作回数を計数することによって弛緩部分（５）で消費したラベル枚数を遅れることなく補充するものである。
【実施例】
【００１５】
実施例について図面を参照して説明すると、図１において搬送コンベアー（９）で搬送されてくる１０個詰め鶏卵パック１０のラベル貼り付け部への到来が卵検出器（２３）によって検出される。
【００１６】
制御装置（４）は卵検出器（２３）からの検出信号を受けて貼り付け送り手段（２）を駆動し１枚分のラベルを送り出す。前記１枚のラベルは貼り付け部
（１１）からその粘着面を下にして搬送コンベアー（９）の搬送速度に概略等しい速度でかつ卵の頂上面がラベルに到来するタイミングで送り出されるよう制御されているので送り出されたラベルの粘着面が卵の頂上に貼り付けられる。
【００１７】
貼り付け送り手段（２）はラベル検出器（２２）が１枚分のラベル送りを検出すると送り動作を停止し、次の卵検出信号が卵検出器（２３）から入力されるのを待つ。制御装置は前記１枚のラベル送り出しを開始すると同時に制御装置内部に用意された貼り付け枚数計数器に１を加算する。
【００１８】
前記ラベルの貼り付けが５枚目のラベルの貼り付けを開始すると同時に制御装置は弛緩部（５）にストックしていたラベルの補充をすべく印字手段（３）と印字送り手段（１）とを動作させ連続して５枚のラベルに対して所定の文字記号を印字する。
【００１９】
剥離紙の巻取手段（８）は常時一定の張力で剥離紙を巻き取る様に駆動されており貼り付け部（１１）でラベルが剥離された後の剥離紙が巻き取られる。
【００２０】
本実施例では２列のラベルテープの印字に対して２組の印字手段（３）が約２０ミリの幅で密着して並列配置されており、印字後のテープが弛緩状態にある弛緩部（５）に前記２０ミリの中心間距離を有した２列のテープを２列の鶏卵の頂上幅である４７ミリに広げるべく規制ガイド（１２）が設けられている。規制ガイド（１２）で鶏卵の頂上幅に広げられたそれぞれのラベルは貼り付け部（１１）で一定の張力を得るためにフェルトで押し圧された抵抗体（６）をくぐるよう構成されている。
【００２１】
【発明の効果】
本発明は、以上説明したように構成されているので、以下に記載されるような効果を奏する。
【００２２】
ラベルの貼り付け動作は被貼り付け物品の到来に対応して同物品の搬送速度と近似の速度でラベルを送り出す必要がある。また個々の物品に１枚づつのラベルを貼り付けるためその送り出しは間欠動作である。
【００２３】
本発明の装置にあっては弛緩部分に一定枚数以上の印字済ラベルを常にストックしておくように構成されており、高速動作を必要とする貼り付け送り出しには前記ストックした印字済ラベルを使用するようになっている。また印字装置の性能に直接影響される印字時のラベル走行速度は別途用意された印字用の駆動手段によって駆動するよう構成されている。
【００２４】
前記印字時のラベル走行速度は、本発明においては所定枚数を連続印字するよう制御されているので、所定枚数の連続印字の時間内に間欠動作するラベルの貼り付け送り枚数が印字枚数を上回らない範囲で高速化することが可能であり、被貼り付け物品の高速搬送に対して対応することが出来る。
【００２５】
また、弛緩部（ストック部）でのストック量を計測するのに印字済ラベル枚数から貼り付け枚数を差し引くことによって行っており、特別に検出装置を用意する必要がなくこの間テープを事実上無張力に保つことが可能でありこのことによりストック部でのテープの走行間隔を変更することが実現した。
【００２６】
前記ストック部でのテープ走行間隔変更は複数列搬送される被貼り付け物品への貼り付け間隔変更を容易にならしめるものであり、貼り付け間隔が大きく複数列搬送されて来る被貼り付け物品へのラベル貼り付けを１台の本発明装置で実現するものである。
【００２７】
また前記ストック部でのラベルの減少を前記差引計算で行うことにより所定枚数目のラベルの貼り付け送り出し開始と同時に所定枚数の消費を検出することが可能となり、印字装置をして印字済ラベルの補充をすみやかに開始することが可能となり被貼り付け物品の搬送速度の高速化に対応することが可能となった。
【図面の簡単な説明】
【図１】本発明の一具体例を図示した全体の側面図である。
【図２】本発明の一具体例を図示した全体の平面図である。
【図３】本発明の制御装置のブロック図である。
【符号の説明】
１  印字送り手段
２  貼り付け送り手段
３  印字手段
４  制御手段
５  弛緩部分（ストック部分）
６  抵抗体
７  テープ供給部
８  テープ巻取部
９  搬送コンベアー
１０  １０個詰め鶏卵パック
１１  貼り付け部
１２  テープ規制ガイド
１３  ガイドローラー
２１  印字ラベル検出器
２２  貼り付けラベル検出器
２３  卵検出器
【図１】
0003877814.tif 000002
【図２】
0003877814.tif 000003
【図３】
0003877814.tif 000004